(57)【要約】【課題】  ＯＦケーブルの漏油箇所を容易に補修できるようにする。【解決手段】  変形自在な袋状で、漏油箇所Ｃ１を含むＯＦケーブルＣの外周面に巻き付けられ、内部の気体が吸い出されることで収縮してＯＦケーブルＣを締め付ける第１の収縮体２１と、第１の収縮体２１の外面に設けられ、漏油箇所Ｃ１からの漏油を抑える第１の漏油抑制体２２と、を備える。【選択図】  図２
2013121260.tif 000002
【特許請求の範囲】
【請求項１】
内部に油が注入されたＯＦケーブルの外周面に形成された漏油箇所を補修するためのＯＦケーブル補修装置であって、
変形自在な袋状で、前記漏油箇所を含むＯＦケーブルの外周面に巻き付けられ、内部の気体が吸い出されることで収縮して前記ＯＦケーブルを締め付ける収縮体と、
前記収縮体の外面に設けられ、前記漏油箇所からの漏油を抑える漏油抑制体と、
を備えることを特徴とするＯＦケーブル補修装置。
【請求項２】
内部に油が注入されたＯＦケーブルの外周面に形成された漏油箇所を補修するＯＦケーブル補修方法であって、
変形自在で袋状の収縮体の外面に、前記漏油箇所からの漏油を抑える漏油抑制体を設け、
前記漏油抑制体が前記漏油箇所に当接するように、前記収縮体を前記ＯＦケーブルの外周面に巻き付け、
前記収縮体内の気体を吸い出して前記収縮体を収縮させることで、前記ＯＦケーブルを前記収縮体で締め付ける、
ことを特徴とするＯＦケーブル補修方法。
【発明の詳細な説明】
【技術分野】
【０００１】
この発明は、ＯＦケーブルの漏油箇所を補修するためのＯＦケーブル補修装置および補修方法に関する。
【背景技術】
【０００２】
ＯＦケーブルは、絶縁用の油を所定の圧力で内部に注入、充填することで、絶縁性を高めたケーブルであり、油圧を保持している金属被覆が経年劣化によって損傷したり、第三者による工事の際に誤って損傷したりして、漏油が発生する場合がある。このような場合、漏油箇所を含めて所定長さだけＯＦケーブルを切断して、張り替える必要があるが、張り替えには多大な時間と労力とを要するため、張り替え（本補修）に先だって漏油量を極力抑えるために、初期対応として漏油箇所を補修（仮油止め処理）する必要がある。
【０００３】
このような補修として、ＯＦケーブルの鉛被の亀裂部の外周上に、ゴム・プラスチックテープを高張力で巻回して仮止め層を設け、その上にガラス繊維テープの巻回層とエポキシ樹脂層とを積層して、油止め層を設ける技術が知られている（例えば、特許文献１参照。）。また、漏油箇所周辺の防食層を剥ぎ取り、漏油箇所を挟むように台座を周設し、この台座をまたがって銅管を装着して、銅管と台座とを鉛工によって接合する技術が知られている（例えば、特許文献２参照。）。
【先行技術文献】
【特許文献】
【０００４】
【特許文献１】実開平０２−０３７５３０号公報
【特許文献２】特開２０００−３４１８２０号公報
【発明の概要】
【発明が解決しようとする課題】
【０００５】
しかしながら、特許文献１の技術では、漏油を停止させるように施工するには、ゴム・プラスチックテープとガラス繊維テープとを適正な張力で、しかも、２つのテープを重ね合わせながら順次巻かなければならない。このため、作業には熟練を要し、また、最低二人の作業者を要し、しかも、長時間を要する。
【０００６】
同様に、特許文献２の技術においても、銅管と台座とを鉛工によって接合する、などという作業を行わなければならないため、作業には特殊技能を要し、専任の作業員などを現地に派遣する必要があり、補修完了までに長時間を要してしまう。しかも、ＯＦケーブルは、通常、管路内に配設された状態で地下に埋設などされており、作業空間・環境が限られているため、より容易な補修方法が求められている。
【０００７】
そこでこの発明は、ＯＦケーブルの漏油箇所を容易に補修することを可能にする、ＯＦケーブル補修装置および補修方法を提供することを目的とする。
【課題を解決するための手段】
【０００８】
前記課題を解決するために、請求項１の発明は、内部に油が注入されたＯＦケーブルの外周面に形成された漏油箇所を補修するためのＯＦケーブル補修装置であって、変形自在な袋状で、前記漏油箇所を含むＯＦケーブルの外周面に巻き付けられ、内部の気体が吸い出されることで収縮して前記ＯＦケーブルを締め付ける収縮体と、前記収縮体の外面に設けられ、前記漏油箇所からの漏油を抑える漏油抑制体と、を備えることを特徴とする。
【０００９】
この発明によれば、漏油抑制体が漏油箇所に当接するように、収縮体をＯＦケーブルの外周面に巻き付け、収縮体内の気体を吸い出して収縮体を収縮させる。これにより、ＯＦケーブルが収縮体で締め付けられ、漏油抑制体および収縮体が強くＯＦケーブルに密着する。
【００１０】
請求項２の発明は、内部に油が注入されたＯＦケーブルの外周面に形成された漏油箇所を補修するＯＦケーブル補修方法であって、変形自在で袋状の収縮体の外面に、前記漏油箇所からの漏油を抑える漏油抑制体を設け、前記漏油抑制体が前記漏油箇所に当接するように、前記収縮体を前記ＯＦケーブルの外周面に巻き付け、前記収縮体内の気体を吸い出して前記収縮体を収縮させることで、前記ＯＦケーブルを前記収縮体で締め付ける、ことを特徴とする。
【発明の効果】
【００１１】
請求項１および２の発明によれば、漏油抑制体および収縮体が強くＯＦケーブルに密着するため、ＯＦケーブル内の油が外部へ漏出するのを防止・抑止することができる。しかも、漏油抑制体が設けられた収縮体をＯＦケーブルに巻き付けるだけであるため、誰でも行え、特殊な技能や経験などを要しない。このため、ＯＦケーブルの漏油箇所を容易かつ迅速に補修することが可能となる。さらに、変形自在な収縮体をＯＦケーブルに巻き付けるだけであるため、曲がったＯＦケーブルや直径が異なるＯＦケーブルなどに対しても、容易かつ迅速に補修することが可能となるとともに、補修のための資材や工具も少なくて済む。
【図面の簡単な説明】
【００１２】
【図１】この発明の実施の形態に係るＯＦケーブル補修装置を示す斜視図である。
【図２】図１のＯＦケーブル補修装置を使用したＯＦケーブル補修方法を示す工程図であり、（ａ）は、補修開始前の状態を示し、（ｂ）は、漏油防止用シートを巻き付けた状態を示し、（ｃ）は、補修用シートを巻き付けた状態を示す。
【発明を実施するための形態】
【００１３】
以下、この発明を図示の実施の形態に基づいて説明する。
【００１４】
図１は、この発明の実施の形態に係るＯＦケーブル補修装置１を示す斜視図である。このＯＦケーブル補修装置１は、図２（ａ）に示すように、内部に油が注入されたＯＦケーブルＣの外周面に形成された漏油箇所Ｃ１を補修するための装置であり、主として、漏油防止用シート２と補修用シート３とから構成されている。ここで、この実施の形態では、恒久的な対策である本補修に先だって初期対応として行う仮補修に対して、本ＯＦケーブル補修装置１を使用する場合について主として説明するが、漏油状態やＯＦケーブルＣの使用年数、設置環境などによっては、本補修として本ＯＦケーブル補修装置１を使用してもよい。
【００１５】
漏油防止用シート２は、第１の収縮体２１と第１の漏油抑制体２２とを備えている。第１の収縮体２１は、変形自在な袋状で、漏油箇所Ｃ１を含むＯＦケーブルＣの外周面に巻き付けられ、内部の空気（気体）が吸い出されることで収縮してＯＦケーブルＣを締め付ける圧縮袋である。すなわち、平面が略四角形の厚みが薄い平盤状で、ゴム材やビニル材などの可撓性・変形性が高い素材で形成された袋体である。この第１の収縮体２１の大きさ・面積と厚みは、ＯＦケーブルＣの外周・円周に対して１巻き以上巻き付き、後述するようにして収縮した際に、第１の漏油抑制体２２に対して十分な圧力を与えて、第１の漏油抑制体２２がＯＦケーブルＣに強く密着し、漏油箇所Ｃ１から漏れ出る油が外部に流出するのを抑止・防止できるように設定されている。また、後述するようにして掃除機などの吸引機のノズルを装着して、内部の空気を吸い出すための第１の空気抜き部２１ａが形成されている。
【００１６】
このような第１の収縮体２１の一方の平面の中央部に、第１の漏油抑制体２２が設けられている。この第１の漏油抑制体２２は、平面が略四角形で、漏油箇所Ｃ１からの漏油を抑える積層体であり、複数のテープなどが積層されて構成されている。すなわち、第１の収縮体２１側（下層側）から順に、フィラメントテープ、加硫ゴムおよびガラス繊維テープが積層され、漏油箇所Ｃ１に接するガラス繊維テープには、内部に吸水材が含有され、漏油箇所Ｃ１からの漏油を吸収するようになっている。
【００１７】
この第１の漏油抑制体２２の大きさ・面積と厚みは、後述するようにしてＯＦケーブルＣに密着した際に、漏油箇所Ｃ１から漏れ出る油が外部に流出するのを、十分に抑止・防止できるように設定されている。また、第１の漏油抑制体２２の周囲の第１の収縮体２１の平面には、第１の接着剤（粘着のり）２３が塗布されている。さらに、第１の漏油抑制体２２は変形自在で、漏油防止用シート２は、全体として変形自在となっている。
【００１８】
補修用シート３は、第２の収縮体３１と第２の漏油抑制体３２とを備えている。この第２の収縮体３１および第２の漏油抑制体３２は、漏油防止用シート２の第１の収縮体２１および第１の漏油抑制体２２とほぼ同等の構成であり、以下に主として相違する点のみについて説明する。
【００１９】
第２の収縮体３１の大きさ・面積は、第１の収縮体２１よりも大きく、第２の漏油抑制体３２の大きさ・面積も、第１の漏油抑制体２２よりも大きく設定・形成され、ＯＦケーブルＣに巻かれた漏油防止用シート２全体を、補修用シート３が１巻き以上巻き付いた状態で包み込めるようになっている。そして、後述するようにして補修用シート３が収縮した際に、補修用シート３が漏油防止用シート２全体を締め込み、これにより漏油防止用シート２の第１の漏油抑制体２２がＯＦケーブルＣにより強く密着するようになっている。
【００２０】
また、第２の漏油抑制体３２のガラス繊維テープは、漏油箇所Ｃ１と直接接しないため、内部に吸水材を含有しなくてもよい。一方、漏油防止用シート２と同様に、第２の収縮体３１には、内部の空気を吸い出すための第２の空気抜き部３１ａが形成され、第２の漏油抑制体３２の周囲の第２の収縮体３１の平面には、第２の接着剤（粘着のり）３３が塗布されている。
【００２１】
次に、このような構成のＯＦケーブル補修装置１によるＯＦケーブル補修方法などについて説明する。ここで、ＯＦケーブルＣは管路内に配設されているものとする。
【００２２】
まず、ＯＦケーブルＣの漏油箇所Ｃ１周辺に対向する管路の部分を切り取り、作業窓を形成する。ここで、作業窓の大きさは、ＯＦケーブル補修装置１つまり補修用シート３を管路内に挿入でき、かつ配設作業（補修作業）が行える大きさとする。
【００２３】
次に、第１の装着ステップとして、図２（ａ）に示すＯＦケーブルＣの漏油箇所Ｃ１に対して、図２（ｂ）に示すように、漏油防止用シート２を巻き付け、貼り付ける。このとき、第１の漏油抑制体２２の中央部が漏油箇所Ｃ１に当接するように、第１の収縮体２１をＯＦケーブルＣの外周面に巻き付ける。
【００２４】
続いて、第１の吸引ステップとして、漏油防止用シート２の第１の空気抜き部２１ａに掃除機などの吸引機のノズルを装着して、吸引機を起動させる。これにより、第１の収縮体２１内の空気が吸い出されて第１の収縮体２１が収縮し、ＯＦケーブルＣが第１の収縮体２１で締め付けられる。この結果、第１の漏油抑制体２２が漏油箇所Ｃ１周辺のＯＦケーブルＣに強く密着する。
【００２５】
次に、第２の装着ステップとして、図２（ｃ）に示すように、補修用シート３を巻き付け、貼り付ける。すなわち、漏油防止用シート２全体を覆うように、かつ、第２の漏油抑制体３２と第１の漏油抑制体２２とが重なるように、第２の収縮体３１をＯＦケーブルＣの外周面に巻き付ける。
【００２６】
続いて、第２の吸引ステップとして、補修用シート３の第２の空気抜き部３１ａに掃除機などの吸引機のノズルを装着して、吸引機を起動させる。これにより、第２の収縮体３１内の空気が吸い出されて第２の収縮体３１が収縮し、漏油防止用シート２およびＯＦケーブルＣが補修用シート３で締め付けられる。この結果、漏油防止用シート２の第１の漏油抑制体２２が、漏油箇所Ｃ１周辺のＯＦケーブルＣにさらに強く密着する。
【００２７】
このようにして、ＯＦケーブル補修装置１の取り付けおよび仮補修作業が終了し、管路の作業窓に切り取った管路片などを接合して、作業窓を埋め戻すものである。
【００２８】
以上のように、このＯＦケーブル補修装置１およびＯＦケーブル補修方法によれば、漏油防止用シート２の第１の収縮体２１が収縮して、ＯＦケーブルＣを締め付けることで、漏油防止用シート２の第１の漏油抑制体２２が漏油箇所Ｃ１周辺のＯＦケーブルＣに強く密着する。しかも、補修用シート３の第２の収縮体３１が収縮して、漏油防止用シート２およびＯＦケーブルＣを締め付けることで、漏油防止用シート２の第１の漏油抑制体２２が、ＯＦケーブルＣにさらに強く密着する。この結果、ＯＦケーブルＣ内の油が外部へ漏出するのを、より確実に防止・抑止することが可能となる。
【００２９】
また、漏油防止用シート２や補修用シート３をＯＦケーブルＣに巻き付けるだけであるため、誰でも行え、特殊な技能や経験などを要しない。このため、ＯＦケーブルＣの漏油箇所Ｃ１を容易かつ迅速に補修することが可能となる。さらに、変形自在な漏油防止用シート２や補修用シート３をＯＦケーブルに巻き付けるだけであるため、ＯＦケーブルＣの湾曲部・コーナ部や直径が異なるＯＦケーブルＣなどに対しても、容易かつ迅速に補修することが可能となるとともに、補修のための資材や工具も少なくて済む。
【００３０】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、漏油防止用シート２と補修用シート３とでＯＦケーブル補修装置１を構成しているが、漏油箇所Ｃ１の大きさや漏油の程度、あるいは本補修の予定時期などに応じて、漏油防止用シート２のみで構成してもよい。例えば、漏油が少ない場合には漏油防止用シート２のみとし、漏油が多い場合には漏油防止用シート２と補修用シート３とで構成してもよい。
【００３１】
また、第１の漏油抑制体２２および第２の漏油抑制体３２が、フィラメントテープ、加硫ゴムおよびガラス繊維テープの積層体から構成されているが、その他の漏油抑制材で構成してもよい。さらに、漏油防止用シート２や補修用シート３の配設・固定を安定化させるために、補修用シート３の外周にビニルテープなどを巻き付けてもよい。
【符号の説明】
【００３２】
１        ＯＦケーブル補修装置
２        漏油防止用シート
２１      第１の収縮体
２１ａ    第１の空気抜き部
２２      第１の漏油抑制体
２３      第１の接着剤
３        補修用シート
３１      第２の収縮体
３１ａ    第２の空気抜き部
３２      第２の漏油抑制体
３３      第２の接着剤
Ｃ        ＯＦケーブル
Ｃ１      漏油箇所
【図１】
2013121260.tif 000003
【図２】
2013121260.tif 000004